(57)【要約】【課題】薄型の吸収性物品であっても吸収の速さと液戻り量の少なさを満たし、トップシート表面での液流れが起きにくく、吸収性能に優れた吸収性物品を提供する。【解決手段】トップシートと吸収体との間に、複数の漏斗状の開孔を有する開孔フィルムとパルプ不織布が配置された吸収性物品であって、開孔フィルムは、厚み方向で一方の面の開孔径が小さく、他方の面の開孔径が大きい開孔が施され、開孔径の小さい側の開孔が吸収体側を向くように配置されている、吸収性物品を提供する。【選択図】図２
2020192024.tif 000002
【特許請求の範囲】
【請求項１】
液透過性のトップシートと、液不透過性のバックシートと、前記トップシートと前記バックシートとの間に配置される吸収体と、を有し、
前記トップシートと前記吸収体との間に、複数の漏斗状の開孔を有する開孔フィルムが配置された吸収性物品であって、
前記開孔フィルムと前記吸収体との間に、パルプ不織布が配置され、
前記開孔フィルムは、厚み方向で一方の面の開孔径が小さく、他方の面の開孔径が大きい開孔が施され、開孔径の小さい側の開孔が吸収体側を向くように配置されていることを特徴とする、吸収性物品。
【請求項２】
前記開孔フィルムは、開孔径が０．３ｍｍ以上１．５ｍｍ以下であり、開孔の数が５０個／ｃｍ２以上であることを特徴とする、請求項１に記載の吸収性物品。
【請求項３】
前記開孔フィルムは、前記開孔径が大きい一方の面の開孔径と、前記開孔径が小さい他方の面の開孔径の差が、０．０３ｍｍ以上０．１５ｍｍ以下であることを特徴とする、請求項１又は２に記載の吸収性物品。
【請求項４】
前記パルプ不織布は、無荷重での厚さが０．３ｍｍ以上１．５ｍｍ以下であって、無荷重での密度が１０ｋｇ／ｍ３以上２００ｋｇ／ｍ３以下であることを特徴とする、請求項１から３のいずれか１項に記載の吸収性物品。
【発明の詳細な説明】
【技術分野】
【０００１】
本発明は、吸収性物品に関する。
【背景技術】
【０００２】
一般的に、軽失禁パッド、パンツ型紙おむつ、テープ止め紙おむつ等の吸収性物品は、液透過性のトップシートと、液不透過性のバックシートと、両シートの間に配置された吸収体と、で構成されている。これにより、尿等の体液は、トップシートを通って吸収体に吸収され、バックシートにより外部へ漏れないようになっている。近年は吸収性物品を着けていることが目立たない、また着用時に違和感がなく、着けている感がない製品が望まれている為、薄型の吸収体を用いた吸収性物品の態様が多く提案されている。
【０００３】
そのような吸収性物品として、例えば、特許文献１は、表面シート、裏面シート、及び該表面シートと該裏面シートとの間に配された液保持性の吸収体を備え、表面シートと吸収体との間にセカンドシートが配されている吸収性物品であって、吸収体が０．１２ｇ／ｃｍ３より高い密度を有し、セカンドシートが１．５×１０３Ｎ以上の毛管力を有する吸収性物品が開示されている。
【０００４】
また、特許文献２は、親水性多孔体及び吸収性ポリマーを含んで構成される下部吸収層と、該下部吸収層上に積層され、不織布及び吸収性ポリマーを含んで構成される上部吸収層とを具備する吸収体及びそれを具備する吸収性物品が開示されている。
【先行技術文献】
【特許文献】
【０００５】
【特許文献１】特開２０１６−０６７８９７号公報
【特許文献２】特開２００９−１３１３４９号公報
【発明の概要】
【発明が解決しようとする課題】
【０００６】
しかしながら、吸収性物品を上記の態様で薄型化、軽量化する場合、ある程度の吸収性能を犠牲にしなければならない。特に、吸収体面積の狭い失禁用製品や尿取りパッドにおいては十分な吸収性能が保たれない。
【０００７】
また、吸収の速さと液戻り量の少なさは、吸収性能の指標としてどちらも重要であるが、薄型の吸収性物品においては両者を高い次元で満たすことは難しい。
【０００８】
さらに、特に失禁用製品等の歩行や活動中にも使用される吸収性物品では、尿等の体液を吸収する際に、トップシート表面において液流れが起こりにくいことも重要である。
【０００９】
したがって、本発明は以上の課題に鑑みてなされたものであり、本発明は、薄型の吸収性物品であっても吸収の速さと液戻り量の少なさを満たし、トップシート表面での液流れが起きにくく、吸収性能に優れた吸収性物品を提供することを目的とする。
【課題を解決するための手段】
【００１０】
本発明の発明者らは、上記課題に鑑み、鋭意研究を行った。その結果、トップシートと吸収体の間に開孔フィルムとパルプ不織布を備えることで上記課題を解決することを見出し、本発明を完成するに至った。具体的には、本発明は、以下のものを提供する。
【００１１】
（１）本発明の第１の態様は、液透過性のトップシートと、液不透過性のバックシートと、前記トップシートと前記バックシートとの間に配置される吸収体と、を有し、前記トップシートと前記吸収体との間に、複数の漏斗状の開孔を有する開孔フィルムが配置された吸収性物品であって、前記開孔フィルムと前記吸収体との間に、パルプ不織布が配置され、前記開孔フィルムは、厚み方向で一方の面の開孔径が小さく、他方の面の開孔径が大きい開孔が施され、開孔径の小さい側の開孔が吸収体側を向くように配置されていることを特徴とする、吸収性物品である。
【００１２】
（２）本発明の第２の態様は、（１）に記載の吸収性物品であって、前記開孔フィルムは、開孔径が０．３ｍｍ以上１．５ｍｍ以下であり、開孔の数が５０個／ｃｍ２以上であることを特徴とするものである。
【００１３】
（３）本発明の第３の態様は、（１）又は（２）に記載の吸収性物品であって、前記開孔フィルムは、前記開孔径が大きい一方の面の開孔径と、前記開孔径が小さい他方の面の開孔径の差が、０．０３ｍｍ以上０．１５ｍｍ以下であることを特徴とするものである。
【００１４】
（４）本発明の第４の態様は、（１）から（３）のいずれかに記載の吸収性物品であって、前記パルプ不織布は、無荷重での厚さが０．３ｍｍ以上１．５ｍｍ以下であって、無荷重での密度が１０ｋｇ／ｍ３以上２００ｋｇ／ｍ３以下であることを特徴とするものである。
【発明の効果】
【００１５】
したがって、本発明によれば、トップシートと吸収体の間に開孔フィルムとパルプ不織布を備えることで、薄型の吸収性物品であっても吸収の速さと液戻り量の少なさを満たし、トップシート表面での液流れが起きにくく、吸収性能に優れた吸収性物品を提供することができる。
【図面の簡単な説明】
【００１６】
【図１】本発明の吸収性物品の平面図である。
【図２】図１のＸ１−Ｘ１の断面図である。
【図３】本発明の吸収性物品内に配置する開孔フィルムの拡大図である。
【発明を実施するための形態】
【００１７】
以下、添付図面を参照して、本発明を実施するための形態（以下、実施形態）について詳細に説明するが、これらは例示の目的で掲げたもので、これらにより本発明を限定するものではない。なお、実施形態の説明の全体を通して同じ要素には同じ符号を付する。
【００１８】
また、本明細書の説明において、吸収性物品１の着用時とは、吸収性物品１の着用時及び着用後の少なくとも一方をいう。吸収性物品１の長手方向とは、吸収性物品１が着用されたときに着用者の前後にわたる方向であり、図中、符号Ｙで示す方向である。また、吸収性物品１の幅方向とは、長手方向に対して横又は直交する方向であり、図中、符号Ｘで示す方向である。さらに、肌当接面とは、吸収体等の各部材の表裏両面のうち、着用時に着用者の肌側に配される面であり、非肌当接面とは、吸収体等の各部材の表裏両面のうち、着用時に着用者の肌側とは反対側に向けられる面である。体液とは、尿や血液、軟便中の水分等の体内から体外に排出された液体をいう。さらに、吸収性物品１としては、特に失禁用製品、尿取りパッドが例示されるが、これに限定されるものではなく、その他の吸収性物品であってもよい。
【００１９】
＜吸収性物品＞
図１は、本発明の実施形態に係る吸収性物品１をトップシート１０側から見た平面図である。図１に示すように、吸収性物品１は、肌当接面側に配された液透過性のトップシート１０と、トップシート１０に対向して非肌当接面側に配置された液不透過性のバックシート２０と、トップシート１０とバックシート２０との間に配置された吸収体３０と、を有する。これにより、吸収体３０は、トップシート１０とバックシート２０との間に挟まれた構造となっている。
【００２０】
吸収性物品１の、長手方向の寸法は１００ｍｍ以上８００ｍｍ以下、幅方向の寸法は５０ｍｍ以上５００ｍｍ以下であることが好ましい。吸収性物品１の寸法を上記の範囲に調整することにより、失禁用製品、尿取りパッド等に適した吸収性物品１を得ることができる。
【００２１】
また、吸収性物品１には、着用者の排泄した体液の横漏れを防止するため、吸収性物品１の長手方向に沿って、トップシート１０上に、立体ギャザー用弾性部材を有する一対の立体ギャザーを備えていてもよい（図示しない）。吸収性物品１の幅方向における立体ギャザーの外端は、バックシート２０に固定され、その内端はトップシート１０に固着され、その中央はトップシート１０に固定されない自由端となるように、立体ギャザーシートが配される。立体ギャザー用弾性部材を長手方向に沿って設けることで、立体ギャザーが起立性を有し、着用者の体型に合わせて変形可能なものとなる。立体ギャザー用弾性部材としては、例えば、サーマルボンド不織布、スパンボンド不織布、ポリエチレンフィルム、又はそれらのシートを組み合わせて接合したシートなどが使用できる。強度及び加工性の点から、立体ギャザーの坪量は、１０ｇ／ｍ２以上２００ｇ／ｍ２以下であることが好ましい。
【００２２】
＜トップシート＞
トップシート１０は、体液が吸収体３０へと移動するような液透過性を備えた基材から形成されればよく、例えば、サーマルボンド不織布、スパンボンド不織布など公知の親水性不織布等が使用できる。また、トップシート１０には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート１０には、ローション、酸化防止剤、抗炎症成分、ｐＨ調整剤、抗菌剤、保湿剤等を含有させてもよい。
強度、加工性及び液戻り量の点から、トップシート１０の坪量は、１５ｇ／ｍ２以上２００ｇ／ｍ２以下であることが好ましく、２０ｇ／ｍ２以上５０ｇ／ｍ２以下であることがより好ましい。トップシート１０の形状としては特に制限はないが、漏れがないように体液を吸収体３０へと誘導するために必要とされる、吸収体３０を覆う形状であればよい。
【００２３】
＜バックシート＞
バックシート２０は、吸収体３０が保持している体液が衣類を濡らさないような液不透過性を備えた基材を用いて形成されればよく、通気性又は非通気性の液不透過性のプラスチックフィルムが使用できる。
【００２４】
強度及び加工性の点から、バックシート２０の坪量は、１５ｇ／ｍ２以上５０ｇ／ｍ２以下であることが好ましく、２０ｇ／ｍ２以上５０ｇ／ｍ２以下であることがより好ましい。バックシート２０に通気性を備えさせるためには、例えば、基材の樹脂フィルムにフィラーを配合したり、バックシート２０にエンボス加工を施したりすればよい。なお、フィラーとしては炭酸カルシウムを挙げることができ、その配合方法は、公知の方法を制限なく行うことができる。
【００２５】
＜吸収体＞
本発明の吸収性物品１において、吸収体３０の長手方向の寸法は、１００ｍｍ以上８００ｍｍ以下であることが好ましく、１５０ｍｍ以上５００ｍｍ以下であることがより好ましい。また、吸収体３０の幅方向の寸法は、５０ｍｍ以上５００ｍｍ以下であることが好ましく、７０ｍｍ以上３００ｍｍ以下であることがより好ましい。
【００２６】
（吸収性繊維）
吸収体３０は、基材としての吸収性繊維と、高吸収性ポリマーを含有する。
吸収性繊維は、一般に失禁用製品や尿取りパッド等の吸収性物品に使用されるものであれば特に制限はなく、例えば、フラッフパルプ、コットン、レーヨン、アセテート、ティシュー、吸収紙、親水性不織布等を挙げることができる。これらの中でも、吸収性の観点から、フラッフパルプを使用することが好ましい。フラッフパルプとしては、木材パルプ（例えば、サウザンパインやダグラスファー等の針葉樹晒クラフトパルプ（Ｎ−ＢＫＰ））、合成繊維、樹脂繊維、非木材パルプ等を綿状に解繊したものを挙げることができる。吸収体３０に、基材としての吸収性繊維にフラッフパルプを用いた場合、吸収性繊維の坪量は、１００ｇ／ｍ２以上８００ｇ／ｍ２以下であることが好ましく、３２５ｇ／ｍ２以上６１５ｇ／ｍ２以下であることがより好ましい。これにより、肌触りを損なわずに、より多くの体液を吸収させることができる。
【００２７】
（高吸収性ポリマー）
吸収体３０の高吸収性ポリマー（ＳＡＰ）としては、体液を吸収し、かつ、逆流を防止できるものであれば特に制限はなく、その中でも、重量当たりの吸収量の観点から、高吸収性樹脂が好ましい。
【００２８】
吸収体３０に含有される高吸収性ポリマーの坪量は、５０ｇ／ｍ２以上５００ｇ／ｍ２以下であることが好ましく、１００ｇ／ｍ２以上４５０ｇ／ｍ２以下であることがより好ましい。また、吸収体３０の全重量に対する高吸収性ポリマーの重量％は、１５％以上５０％以下であることが好ましく、２０％以上４０％以下であることがより好ましい。高吸収性ポリマーの坪量及び重量％を上記の数値範囲内とすることで、吸収体３０におけるゲルブロッキングを防止し、かつ、吸収体３０において多量の体液を吸収させることができる。
なお、吸収体３０において、吸収性繊維及び高吸収性ポリマーの形態は、吸収性繊維中にＳＡＰ粒子を混合して形成した積層マットであることが好ましい。
【００２９】
＜開孔フィルム＞
図２は、図１の吸収性物品１のＸ１−Ｘ１における断面図である。本発明においては、図２に示すように、トップシート１０と吸収体３０との間に、複数の漏斗状の開孔を有する開孔フィルム４０が配されている。
開孔フィルム４０は、体液が吸収体３０へと移動するような液透過性、液拡散性を備えていることが好ましく、開孔フィルム４０の形状としては特に制限はないが、強度、加工性の点から、開孔フィルム４０の坪量は、１０ｇ／ｍ２以上１００ｇ／ｍ２以下であることが好ましく、１５ｇ／ｍ２以上６０ｇ／ｍ２以下であることがより好ましい。また、開孔フィルム４０の開孔径は０．３ｍｍ以上１．５ｍｍ以下であることが好ましく、０．５ｍｍ以上１．２ｍｍ以下であることがより好ましい。さらに、液透過性の点から、開孔の数は５０個／ｃｍ２以上が好ましい。開孔フィルム４０の坪量、開孔径及び開孔の数を上記の範囲とすることにより、液透過性及び液拡散性に優れ、液戻り防止性に優れた開孔フィルム４０が得られる。なお、開孔フィルム４０の材質は、例えば、ポリエチレンといった材料から形成される。
【００３０】
また、図３は本発明の吸収性物品１内に配置する開孔フィルム４０の拡大図である。開孔フィルム４０は、図３に示すように、厚み方向で一方の面の開孔径Ｌ１は小さく、他方の面の開孔径Ｌ２が大きいという開孔が施されている。本発明の開孔フィルム４０は、漏斗の開孔径の小さい方、すなわち開孔径Ｌ１の側の開孔が吸収体３０側を向くように配置されている。これにより、下部の吸収体３０への浸透に加え、横方向（前後左右）への拡散にも優れる吸収性物品１を得ることができる。また、開孔径Ｌ１の側の開孔が吸収体３０を向くように配置されることにより、開孔フィルム４０を通過して吸収体３０に吸収された体液が、トップシート１０側へ液戻りしにくくなる効果も得られる。なお、液拡散性の点から、開孔径が大きい一方の面の開孔径Ｌ２と、開孔径が小さい他方の面の開孔径Ｌ１の差が、０．０３ｍｍ以上０．１５ｍｍ以下であることが好ましい。
【００３１】
＜パルプ不織布＞
また、本発明においては、図２に示すように、開孔フィルム４０と吸収体３０との間にパルプ不織布５０が配されている。上述の開孔フィルム４０の効果により、吸収性物品１の吸収速度及び液戻り量はある程度は改善されるが、パルプ不織布５０を開孔フィルム４０の下に配置することで、吸収性物品１の吸収速度と液戻り量が更に改善され、また、開孔フィルム４０の問題点である液流れも改善されることになる。
パルプ不織布５０の基材は、木材パルプ繊維を主原料に使用したエアレイド不織布、スパンレース不織布等が使用できる。パルプ不織布５０の坪量は、２０ｇ／ｍ２以上２００ｇ／ｍ２以下であることが好ましく、３０ｇ／ｍ２以上１５０ｇ／ｍ２以下であることがより好ましい。また、パルプ不織布５０の無荷重での厚さは０．３ｍｍ以上１．５ｍｍ以下であることが好ましく、０．５ｍｍ以上１．２ｍｍ以下であることがより好ましい。パルプ不織布５０の無荷重での密度は、１０ｋｇ／ｍ３以上２００ｋｇ／ｍ３以下であることが好ましく、１５ｋｇ／ｍ３以上１５０ｋｇ／ｍ３以下であることがより好ましい。
【００３２】
＜キャリアシート＞
ＳＡＰ粒子の漏洩防止や吸収体３０の形状の安定化の目的から、図２に示すように、パルプ不織布５０と吸収体３０との間及び吸収体３０とバックシート２０との間に、キャリアシート６０をそれぞれ配置してもよい。キャリアシート６０の基材としては親水性を有するものであればよく、ティシュー、吸収紙、エアレイド不織布等の親水性不織布を挙げることができる。キャリアシート６０の各々の基材は同一のものであっても異なるものであってもよい。
【００３３】
以上、実施形態を用いて本発明を説明したが、本発明の技術的範囲は上記実施形態や実施例に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【実施例】
【００３４】
以下、本発明について、実施例を挙げて詳細に説明する。なお、本発明は、以下に示す実施例に何ら限定されるものではない。
【００３５】
（吸収性物品の作成）
吸収体としては、基材であるフラッフパルプ２０ｇの中に、ＳＡＰ６ｇを混合して形成したものを使用し、トップシートとして、エアスルー不織布（坪量２０ｇ／ｍ２）を用い、バックシートとして、通気性ポリエチレンフィルム（坪量３２ｇ／ｍ２）を用い、キャリアシートとしてティシューを用いた。また、開孔フィルムとして目付が２０ｇ／ｍ２のポリエチレンフィルムを用い、パルプ不織布として目付が５０ｇ／ｍ２であり、無荷重での厚さが１．０ｍｍであって、無荷重での密度が５０ｋｇ／ｍ３であるエアレイド不織布を用いた。開孔フィルムは、開孔径が０．８ｍｍ、開孔の数が５０個／ｃｍ２、開孔径が大きい一方の面の開孔径と、開孔径が小さい他方の面の開孔径の差が０．１ｍｍであり、開孔径の小さい側を吸収体側として配置した。吸収性物品の寸法は、長手方向が４５０ｍｍ、幅１６０ｍｍとし、吸収体、開孔フィルム及び不織布の寸法は、いずれも長手方向が４００ｍｍ、幅１２０ｍｍとし、非肌当接面側から、バックシート、キャリアシート、吸収体、キャリアシート、パルプ不織布、開孔フィルム、トップシートの順に積層し、これを実施例１のサンプルとした。
【００３６】
比較例１において、パルプ不織布を入れない以外は、実施例と同様にして吸収性物品を作成し、比較例１のサンプルとした。また、開孔フィルム及びパルプ不織布を入れない以外は、実施例と同様にして吸収性物品を作成し、比較例２のサンプルとした。
【００３７】
（吸収速度）
外径８０ｍｍ、内径３０ｍｍ、重量２ｋｇの治具を用いて、サンプルが荷重下１５０ｍｌの生理食塩水を吸収する時間を測定した。結果を表１に示す。
【００３８】
（液戻り量）
サンプルに生理食塩水３００ｍｌを注水し、１０分後に、３５ｇｆ／ｃｍ２の荷重条件で５５ｍｍ径のろ紙に１分間で液戻りし吸収された水分量を測定した。結果を表１に示す。
【００３９】
（液流れの長さ）
長手方向に４５度傾斜した状態で、サンプルに生理食塩水１５０ｍｌを注水し、注水点から傾斜下側にトップシート表面を液体が流れて到達した長さを測定した。結果を表１に示す。
【００４０】
【表１】
2020192024.tif 000003
【００４１】
表１の結果から、開孔フィルムがある比較例１では、開孔フィルムがない比較例２に比べ、液戻り量は大幅に低減し、吸収速度も多少速くなった。一方、液流れ長さに関しては、開孔フィルムは疎水性のポリエチレンフィルムであるために、尿が開孔フィルム側からバックシート側に垂直方向に吸収される液体分が少なくなり、逆に、開孔フィルム表面を水平方向に伝って流れる液体分が多くなり、結果として、液流れ長さが長くなってしまった。
それに対し、開孔フィルムと吸収体の間にパルプ不織布がある実施例１では、開孔フィルムがクッション材となるパルプ不織布に直接接触しているため、開孔フィルムが吸収体を包むキャリアシートと接している比較例１よりも、吸収速度が更に速まり、液戻り量も大幅に低減した（すなわち、サンプルの吸収量も向上した）。この吸収速度の向上により、液流れでは、水平方向への伝播よりも、垂直方向への吸収が促進される為、液流れ長さは開孔フィルムがない比較例２と同等になった。
よって、本発明によれば、薄型の吸収性物品であっても吸収の速さと液戻り量の少なさを満たし、トップシート表面での液流れが起きにくく、吸収性能に優れた吸収性物品を提供することができる。
【符号の説明】
【００４２】
１    吸収性物品
１０  トップシート
２０  バックシート
３０  吸収体
４０  開孔フィルム
５０  パルプ不織布
６０  キャリアシート
【図１】
2020192024.tif 000004
【図２】
2020192024.tif 000005
【図３】
2020192024.tif 000006